(57)【要約】【課題】共通のコンボコネクタを用いることによって、急速充電及び緩速充電を複合的にサポートする方法、装置及びシステムを提供する。【解決手段】  電気車動的充電方法は、ユーザから急速充電モードまたは緩速充電モードの少なくとも１つに対する選択を受信するステップと、前記選択により急速充電モジュールの状況を考慮して前記ユーザの充電方式を動的にスケジューリングするステップと、前記ユーザの充電方式に応じて前記ユーザの電気車を充電するステップとを含む。【選択図】      図５
2014171380.tif 000002
【特許請求の範囲】
【請求項１】
ユーザから急速充電モードまたは緩速充電モードの少なくとも１つに対する選択を受信し、
前記選択により急速充電モジュールの状況を考慮して前記ユーザの充電方式を動的にスケジューリングし、
前記ユーザの充電方式に応じて前記ユーザの電気車を充電すること、
を含むことを特徴とする電気車動的充電方法。
【請求項２】
前記ユーザの充電方式を動的にスケジューリングすることは、
複数の急速充電モジュールのうち、特定の急速充電モジュールが割当可能であるか否かを判別し、
前記特定の急速充電モジュールが割当可能であるか否かに基づいて前記ユーザの充電方式を動的にスケジューリングすること、
を含むことを特徴とする請求項１に記載の電気車動的充電方法。
【請求項３】
前記ユーザの充電方式を動的にスケジューリングし、
前記特定の急速充電モジュールの割当が不可能な場合に、前記特定の急速充電モジュールの割当が不可能であることを案内し、
前記ユーザの充電方式を緩速充電として決定すること、
をさらに含むことを特徴とする請求項２に記載の電気車動的充電方法。
【請求項４】
前記急速充電モードまたは前記緩速充電モードの少なくとも１つに対する選択を受信することは、ユーザインタフェース（ＵＩ）及びネットワーク通信を介して前記急速充電モードまたは前記緩速充電モードの少なくとも１つに対する選択を受信することであることを特徴とする請求項１に記載の電気車動的充電方法。
【請求項５】
前記ユーザの充電方式を急速充電及び緩速充電の間で動的に切り替えることをさらに含むことを特徴とする請求項１に記載の電気車動的充電方法。
【請求項６】
選択により急速充電モジュールの状況を考慮して前記ユーザの充電方式を動的にスケジューリングすることは、前記急速充電として前記ユーザの充電方式に対する選択を受信し、特定の急速充電モジュールの割当が不可能な場合、前記ユーザの充電方式を前記緩速充電として決定することを含み、
前記ユーザの充電方式を動的に切り替えることは、前記特定の急速充電モジュールの割当が可能であることに応答して、前記ユーザの充電方式を前記急速充電に切り替えることを含むことを特徴とする請求項５に記載の電気車動的充電方法。
【請求項７】
前記ユーザの充電方式を動的に切り替えることは、
前記ユーザによって選択された前記緩速充電の終了時間をチェックし、
前記緩速充電の終了時間が満了していないか、または、前記緩速充電の終了時間まで予め設定された時間以上残っているかを判断すること、
を含むことを特徴とする請求項５に記載の電気車動的充電方法。
【請求項８】
前記ユーザの充電方式を動的に切り替えることは、割当可能な急速充電モジュールが存在するか否か、前記急速充電及び前記緩速充電に対するユーザの予約状況、前記ユーザそれぞれの充電優先順位、充電消耗電力による負荷、または充電消耗電力の効率の少なくとも１つに基づいて前記緩速充電及び前記急速充電の間で前記ユーザの充電方式を動的に切り替えることであること、
を特徴とする請求項５に記載の電気車動的充電方法。
【請求項９】
前記ユーザの充電方式を動的に切り替えることは、前記ユーザの充電方式に対する再選択を受信することを含むことを特徴とする請求項５に記載の電気車動的充電方法。
【請求項１０】
前記ユーザの電気車を充電することは、急速充電及び緩速充電をサポートする共通のコンボコネクタを介して、前記急速充電または前記緩速充電の少なくとも１つの方式で充電することであることを特徴とする請求項１に記載の電気車動的充電方法。
【請求項１１】
ユーザから前記急速充電モードに対する選択を受信し、
前記選択により急速充電モジュール状況を考慮して電気車充電をスケジューリングし、
前記急速充電モジュールの割当量を調節して前記電気車の充電量をリアルタイム制御すること、
を含むことを特徴とする電気車動的充電方法。
【請求項１２】
前記電気車充電をスケジューリングすることは、前記急速充電モジュールを割当状況、予約状況、優先順位、または網負荷の少なくとも１つに基づいて前記電気車充電をスケジューリングすることを含むことを特徴とする請求項１１に記載の電気車動的充電方法。
【請求項１３】
待機時間の間に緩速充電モジュールによる緩速充電モードを選択するか否かを確認することをさらに含むことを特徴とする請求項１１に記載の電気車動的充電方法。
【請求項１４】
請求項１〜請求項１３のいずれか１項に記載の方法を実行するプログラムが記録されたコンピュータで読み出し可能な記録媒体。
【請求項１５】
直流の充電電力を供給する急速充電モジュールと、
前記急速充電モジュールに並列接続し、ユーザの入力により前記急速充電モジュールを制御して電気車を充電する複数の充電スタンドと、
前記ユーザの入力により前記急速充電モジュールを用いて前記電気車充電をスケジューリングする動的急速充電シェアリング部と、
を備えることを特徴とする電気車動的充電システム。
【請求項１６】
前記電気車に交流の充電電力を供給する緩速充電モジュールをさらに含むことを特徴とする請求項１５に記載の電気車動的充電システム。
【請求項１７】
前記複数の充電スタンドは、
前記ユーザ入力により前記急速充電モジュールによる急速充電モードまたは緩速充電モジュールによる緩速充電モードの少なくとも１つを選択する充電コントローラと、
前記緩速充電モジュールを制御する緩速コントローラと、
前記急速充電モジュールを制御する急速コントローラと、
前記ユーザ入力を前記動的急速充電シェアリング部に提供する動的急速充電シェアリングエージェントと、
を備えることを特徴とする請求項１５に記載の電気車動的充電システム。
【請求項１８】
前記充電コントローラは、前記ユーザ入力により前記急速充電モードと前記緩速充電モードとの間の変更を行うことを特徴とする請求項１７に記載の電気車動的充電システム。
【請求項１９】
前記動的急速充電シェアリング部は、動的急速充電シェアリングエージェントから受信した前記ユーザの入力により、前記急速充電モジュールによる急速充電モードが選択されると、前記急速充電モジュールの割当状況、予約状況、優先順位、または網負荷の少なくとも１つに基づいて前記電気車の充電をスケジューリングし、待機時間の間に緩速充電モジュールによる緩速充電モードを選択するか否かを確認する動的急速充電シェアリングサーバを含むことを特徴とする請求項１５に記載の電気車動的充電システム。
【請求項２０】
前記動的急速充電シェアリングサーバは、充電コントローラが前記急速充電モジュールの割当量を調節して前記電気車の充電量を制御する請求項１９に記載の電気車動的充電システム。
【発明の詳細な説明】
【技術分野】
【０００１】
本発明は、電気車（電気で動く乗物）の動的充電システム及びその方法に関し、より具体的に急速充電及び緩速充電を複合的にサポートする電気車の動的充電技術に関する。
【背景技術】
【０００２】
電気車の充電技術は、急速充電または緩速充電のいずれか１つの方式で電気車を充電する技術で、急速充電はＤＣ充電を含んでもよく緩速充電はＡＣ充電を含んでもよい。
【０００３】
従来の電気車の充電システムで緩速充電及び急速充電は、物理的に分離したそれぞれのポートに別に適用される。韓国の場合、緩速充電のインレットはＫＳ標準に係る５ｐｉｎインレットを適用しており、急速充電のインレットは日本団体標準のＣＨＡｄｅＭＯ規格に係る１０ｐｉｎインレットを適用しているため、従来の電気車充電システムはそれぞれのインレットコネクタを含む緩速充電及び急速充電に対する別途のインタフェースを構成しなければならない。
【０００４】
最近、北米／ヨーロッパの電気車製造会社は緩速充電及び急速充電のインタフェースを物理的に１つのインレットで統合適用しようとする動きを見せている一方、緩速充電及び急速充電の二種類モードの充電方式を統合して運用が可能なようにするシステム的実現は部材した状況である。
【発明の概要】
【発明が解決しようとする課題】
【０００５】
本発明の実施形態は、共通のコンボコネクタを用いることによって、急速充電及び緩速充電を複合的にサポートする方法、装置及びシステムを提供する。
【０００６】
また、本発明の実施形態は、急速充電モジュールが割当可能であるか否かに基づいて動的にユーザの充電方式をスケジューリングする方法、装置及びシステムを提供する。
【０００７】
また、本発明の実施形態は、ユーザの電気車を充電中に、ユーザの充電方式を急速充電及び緩速充電の間で動的に切り替える方法、装置及びシステムを提供する。
【課題を解決するための手段】
【０００８】
本発明の一実施形態に係る電気車動的充電方法は、ユーザから急速充電モードまたは緩速充電モードの少なくとも１つに対する選択を受信するステップと、選択により急速充電モジュールの状況を考慮してユーザの充電方式を動的にスケジューリングするステップと、ユーザの充電方式に応じてユーザの電気車を充電するステップとを含む。
【０００９】
ユーザの充電方式を動的にスケジューリングするステップは、複数の急速充電モジュールのうち、特定の急速充電モジュールが割当可能であるか否かを判別するステップと、特定の急速充電モジュールが割当可能であるか否かに基づいてユーザの充電方式を動的にスケジューリングするステップとを含んでもよい。
【００１０】
ユーザの充電方式を動的にスケジューリングするステップは、特定の急速充電モジュールの割当が不可能な場合、特定の急速充電モジュールの割当が不可能であることを案内するステップと、ユーザの充電方式を緩速充電として決定するステップとをさらに含んでもよい。
【００１１】
急速充電モードまたは緩速充電モードの少なくとも１つに対する選択を受信するステップは、ユーザインタフェース（ＵＩ）及びネットワーク通信を介して急速充電モードまたは緩速充電モードの少なくとも１つに対する選択を受信するステップであってもよい。
【００１２】
電気車の動的充電方法は、ユーザの充電方式を急速充電及び緩速充電の間で動的に切り替えるステップをさらに含んでもよい。
【００１３】
選択により急速充電モジュールの状況を考慮してユーザの充電方式を動的にスケジューリングするステップは、急速充電としてユーザの充電方式に対する選択を受信し、特定の急速充電モジュールの割当が不可能な場合、ユーザの充電方式を緩速充電として決定するステップを含み、ユーザの充電方式を動的に切り替えるステップは、特定の急速充電モジュールの割当が可能であることに応答して、ユーザの充電方式を急速充電に切り替えるステップを含んでもよい。
【００１４】
ユーザの充電方式を動的に切り替えるステップは、ユーザによって選択された緩速充電の終了時間をチェックするステップと、緩速充電の終了時間が満了していないか、または、緩速充電の終了時間まで予め設定された時間以上残っているかを判断するステップとを含んでもよい。
【００１５】
ユーザの充電方式を動的に切り替えるステップは、割当可能な急速充電モジュールが存在するか否か、急速充電及び緩速充電に対するユーザの予約状況、ユーザそれぞれの充電優先順位、充電消耗電力による負荷、または充電消耗電力の効率の少なくとも１つに基づいて緩速充電及び急速充電の間でユーザの充電方式を動的に切り替えるステップであってもよい。
【００１６】
ユーザの充電方式を動的に切り替えるステップは、ユーザの充電方式に対する再選択を受信するステップを含んでもよい。
【００１７】
ユーザの電気車を充電するステップは、急速充電及び緩速充電をサポートする共通のコンボコネクタを介して、急速充電または緩速充電の少なくとも１つの方式で充電するステップであってもよい。
【００１８】
本発明の一実施形態に係る電気車の動的充電方法は、ユーザから急速充電モードに対する選択を受信するステップと、選択により急速充電モジュール状況を考慮して電気車の充電をスケジューリングするステップと、急速充電モジュールの割当量を調節して電気車の充電量をリアルタイム制御するステップとを含む。
【００１９】
電気車の充電をスケジューリングするステップは、急速充電モジュールを割当状況、予約状況、優先順位、または網負荷の少なくとも１つに基づいて電気車充電をスケジューリングするステップを含んでもよい。
【００２０】
電気車動的充電方法は、待機時間の間に緩速充電モジュールによる緩速充電モードを選択するか否かを確認するステップをさらに含んでもよい。
【００２１】
本発明の一実施形態に係る電気車の動的充電システムは、直流の充電電力を供給する急速充電モジュールと、急速充電モジュールに並列接続し、ユーザの入力により急速充電モジュールを制御して電気車を充電する複数の充電スタンドと、ユーザの入力により急速充電モジュールを用いて電気車の充電をスケジューリングする動的急速充電シェアリング部とを備える。
【００２２】
電気車の動的充電システムは、電気車に交流の充電電力を供給する緩速充電モジュールをさらに含んでもよい。
【００２３】
複数の充電スタンドは、ユーザ入力により急速充電モジュールによる急速充電モードまたは緩速充電モジュールによる緩速充電モードの少なくとも１つを選択する充電コントローラと、緩速充電モジュールを制御する緩速コントローラと、急速充電モジュールを制御する急速コントローラと、ユーザ入力を動的急速充電シェアリング部に提供する動的急速充電シェアリングエージェントとを備えてもよい。
【００２４】
充電コントローラは、ユーザ入力により急速充電モードと緩速充電モードとの間の変更を行ってもよい。
【００２５】
動的急速充電シェアリング部は、動的急速充電シェアリングエージェントから受信したユーザの入力により、急速充電モジュールによる急速充電モードが選択されると、急速充電モジュールの割当状況、予約状況、優先順位、または網負荷の少なくとも１つに基づいて電気車の充電をスケジューリングし、待機時間の間に緩速充電モジュールによる緩速充電モードを選択するか否かを確認する動的急速充電シェアリングサーバを含んでもよい。
【００２６】
動的急速充電シェアリングサーバは、充電コントローラが急速充電モジュールの割当量を調節して電気車の充電量を制御してもよい。
【発明の効果】
【００２７】
本発明によると、共通のコンボコネクタを用いることによって、急速充電及び緩速充電を複合的にサポートする方法、装置及びシステムを提供することができる。
【００２８】
また、本発明によると、急速充電モジュールが割当可能であるか否かに基づいて動的にユーザの充電方式をスケジューリングする方法、装置、及びシステムを提供することができる。
【００２９】
また、本発明によると、ユーザの電気車を充電中に、ユーザの充電方式を急速充電及び緩速充電の間で動的に切り替える方法、装置、及びシステムを提供することができる。
【図面の簡単な説明】
【００３０】
【図１】電気車充電システムを示す図である。
【図２】本発明の一実施形態に係る電気車の動的充電システムを示す図である。
【図３】図２に示された充電スタンド２１０を具体的に示す図である。
【図４】図２に示された動的急速充電シェアリング部２３０を具体的に示す図である。
【図５】本発明の一実施形態に係る電気車の動的充電方法を示したフローチャートである。
【発明を実施するための形態】
【００３１】
以下、本発明に係る実施形態を添付する図面を参照しながら詳細に説明する。しかし、本発明が実施形態によって制限されたり限定されることはない。また、各図面に提示された同一の参照符号は同一の部材を示す。
【００３２】
図１は、電気車充電システムを示す図である。
【００３３】
図１を参照すると、従来の電気車の充電システムは、交流充電（ＡＣ  Ｃｈａｒｇｉｎｇ）１１０システム及び直流充電（ＤＣ  Ｃｈａｒｇｉｎｇ）１２０システムを含む。ここで、交流充電１１０は緩速充電を、直流充電１２０は急速充電を意味する。緩速充電１１０システムは緩速充電インレット１１１を含み、急速充電１２０システムは急速充電インレット１２１を含む。
【００３４】
従来の電気車充電システムで緩速充電１１０と急速充電１２０は、図２に示すように別に適用し、緩速充電１１０及び急速充電１２０のインレット１１１、１２１も物理的に分離してそれぞれのポートに区分して構成される。
【００３５】
韓国の場合、緩速充電１１０のインレット１１１はＫＳ標準による５ｐｉｎインレットを適用し、急速充電１２０のインレット１２１は日本団体標準のＣＨＡｄｅＭＯ規格に応じる１０ｐｉｎインレットを適用するため、従来における電気車充電システムは、それぞれのインレットコネクタを含む緩速充電及び急速充電に対する別途のインタフェースを構成しなければならない。
【００３６】
図２は、本発明の一実施形態に係る電気車動的充電システムを示す図である。
【００３７】
図２を参照すると、本発明の実施形態に係る電気車充電システムは、充電スタンド２１０、急速充電モジュール２２０、動的急速充電シェアリング部２３０を含む。また、電気車動的充電システムは、電気車に交流の充電電力を供給する緩速充電モジュールをさらに含んでもよい。
【００３８】
急速充電モジュール２２０は直流の充電電力を供給する。
【００３９】
充電スタンド２１０は、急速充電モジュール２２０に並列接続し、ユーザの入力により急速充電モジュール２２０を制御して、ユーザの電気車に直流の充電電力（ＤＣ電力）を供給することで電気車を充電してもよい。また、充電スタンド２１０は、ユーザ入力により急速充電モジュール２２０による急速充電モードまたは緩速充電モジュールによる緩速充電モードの少なくとも１つを選択する充電コントローラ、緩速充電モジュールを制御する緩速コントローラ、急速充電モジュール２２０を制御する急速コントローラ、及びユーザ入力を動的急速充電シェアリング部２３０に提供する動的急速充電シェアリングエージェントを含んでもよい。これに対する詳説は下記で記載する。
【００４０】
また、充電スタンド２１０は、第１ユーザ、第２ユーザ、第３ユーザ及び第４ユーザそれぞれの電気車と接続する複合型コンボコネクタ２１１、２１２、２１３、２１４が接続されてもよい。ここで、複合型コンボコネクタ２１１、２１２、２１３、２１４は、急速充電及び緩速充電を共通してサポートしてもよい。
【００４１】
また、充電スタンド２１０は、ユーザにユーザインタフェース（ＵＩ）を提供してユーザの選択を受信し、受信されたユーザの選択を動的急速充電シェアリング部２３０に送信し、動的急速充電シェアリング部２３０のスケジューリング結果に応じて急速充電モジュール２２０から供給される直流の充電電力を各コンボコネクタ２１１、２１２、２１３、２１４を介して各ユーザの電気車に供給してもよい。
【００４２】
ここで、本発明に係る電気車動的充電システムは、交流の充電電力（ＡＣ電力）を供給する交流電源分電盤を含んでもよい。
【００４３】
動的急速充電シェアリング部２３０は、充電スタンド２１０から受信したユーザの入力により急速充電モジュール２２０を用いてユーザそれぞれの電気車充電を動的にスケジューリングしてもよい。また、インターネット通信２４０によってユーザのＰＣ端末２４１及びモバイル端末２４２と通信して各ユーザの充電方式の選択を受信してもよい。ここで、インターネット通信は、ネットワーク通信を含んでもよい。
【００４４】
本発明に係る電気車動的充電システムにおいて、動的急速充電シェアリング部２３０は動的急速充電シェアリングサーバを含んでもよく、別途の端末、コンピュータに設けられるソフトウェアまたは複数の充電スタンドのうちマスタ役割を行う充電スタンドに搭載するなどの様々な方式で実現されてもよい。
【００４５】
図３は、図２に示す充電スタンド２１０を具体的に示す図である。
【００４６】
図３を参照すると、充電スタンド３１０は、充電コントローラ３１２、緩速コントローラ３１３、急速コントローラ３１６、及び動的急速充電シェアリングエージェント３１７を含む。ここで、充電コントローラ３１２は、ユーザ入力により急速充電モジュール３２０による急速充電モードまたは緩速充電モジュールによる緩速充電モードの少なくとも１つを選択してもよく、緩速コントローラ３１３は緩速用コンタクタ３１４によって緩速充電モジュールを制御してもよく、急速コントローラ３１６は急速用コンタクタ３１５によって急速充電モジュール３２０を制御してもよく、動的急速充電シェアリングエージェント３１７はユーザ入力を動的急速充電シェアリング部に提供してもよい。
【００４７】
ここで、充電コントローラ３１２は、ユーザ入力により急速充電モードと緩速充電モードとの間の変更を行う。
【００４８】
また、充電スタンド３１０は、交流の充電電力を供給するＡＣ電源分電盤３３０、ユーザに提供されるユーザインタフェース（ＵＩ）３１１、及び動的急速充電シェアリング部と通信を可能にする通信モジュール３１８を含む。
【００４９】
通信モジュール３１８は、ユーザインタフェース（ＵＩ）３１１を処理し、動的急速充電シェアリングエージェント３１７と接続して動的急速充電シェアリング部及び急速充電モジュール３２０との通信を提供する。
【００５０】
また、コンボ型コネクタ３４０は、直流の充電電流及び交流の充電電流を提供することのできる複合型コンボコネクタ３４０である。したがって、急速充電及び緩速充電の全てをサポートすることができる。
【００５１】
図４は、図２に示す動的急速充電シェアリング部２３０を具体的に示す図である。
【００５２】
図４を参照すると、動的急速充電シェアリング部４２０は、動的急速充電シェアリングサーバ４２１、通信モジュール４２２、及びシェアリングコントローラ４２３を備える。
【００５３】
ここで、動的急速充電シェアリングサーバ４２１は、動的急速充電シェアリングエージェントから受信したユーザの入力により急速充電モジュール４３０による急速充電モードが選択されると、急速充電モジュール４３０の割当状況、予約状況、優先順位、または網負荷の少なくとも１つに基づいて電気車の充電をスケジューリングし、待機時間の間に緩速充電モジュールによる緩速充電モードを選択するか否かを確認する。また、動的急速充電シェアリングサーバ４２１は、充電コントローラが急速充電モジュール４３０の割当量を調節して電気車の充電量を制御するようにする。
【００５４】
通信モジュール４２２は、ネットワーク通信を介してユーザのＰＣ端末及びモバイル端末との通信を動的急速充電シェアリングサーバ４２１を用いて提供する。また、通信モジュール４２２は、充電スタンド４１０との通信を提供してもよい。
【００５５】
また、シェアリングコントローラ４２３は、動的急速充電シェアリングサーバ４２１と接続して急速充電モジュール４３０を制御する。
【００５６】
図５は、本発明の一実施形態に係る電気車動的充電方法を示したフローチャートである。
【００５７】
図５を参照すると、電気車動的充電システムは、充電スタンドが提供するユーザインタフェース（ＵＩ）及びネットワーク通信を介してユーザから急速充電モードまたは緩速充電モードのうち少なくとも１つの選択を受信する（Ｓ５１０）。
【００５８】
ここで、充電スタンドで受信したユーザの選択結果は通信モジュールを介して動的急速充電シェアリングシステムに送信され、電気車動的充電システムは、複数の急速充電モジュールのうち特定の急速充電モジュールが割当可能であるか否かを判別する（Ｓ５２０）。
【００５９】
また、電気車動的充電システムは、判別された特定の急速充電モジュールが割当可能であるか否かに基づいてユーザの充電方式を動的にスケジューリングする（Ｓ５３０）。ここで、電気車の動的充電システムは、特定の急速充電モジュールの割当が不可能な場合、特定の急速充電モジュールの割当が不可能であることを案内し、ユーザの充電方式を緩速充電として決定する。例えば、第１ユーザが急速充電を選択したが、第１ユーザよりまず急速充電を選択した第２ユーザによって急速充電モジュールが先行取得される場合、充電スタンドを介して、このようなスケジューリング結果に応じて、特定の急速充電モジュールの割当が不可能であることを第１ユーザに案内してもよく、第１ユーザの充電方式を緩速充電として決定してもよい。このように、第１ユーザの充電方式を緩速充電として決定するとき、本発明に係る電気車動的充電システムは、第１ユーザの充電方式に対する再選択の受信によって決定してもよく、または、自動的に第１ユーザの充電方式を緩速充電として決定してもよい。
【００６０】
また、電気車動的充電システムは、ユーザの充電方式に応じてユーザの電気車を充電する（Ｓ５４０）。ここで、急速充電及び緩速充電をサポートする共通のコンボコネクタによって急速充電または緩速充電の少なくとも１つの方式で充電してもよい。
【００６１】
また、電気車動的充電システムは、充電する過程で充電方式の転換有無を判別する（Ｓ５５０）。判別結果に基づいて、電気車の動的充電システムは、ユーザの電気車を充電する間にユーザの充電方式を急速充電及び緩速充電間で動的に切り替えてもよい。ここで、電気車動的充電システムは、特定の急速充電モジュールが割当ができることに応答し、ユーザの充電方式を急速充電に切り替える。また、電気車動的充電システムは、ユーザによって選択された緩速充電の終了時間をチェックしてもよく、緩速充電の終了時間が満了していないか、または、緩速充電の終了時間まで予め設定された時間以上残っているかを判断する。より具体的に、電気車動的充電システムは、割当可能な急速充電モジュールが存在するか否か、急速充電及び緩速充電に対するユーザの予約状況、ユーザそれぞれの充電優先順位、充電消耗電力による負荷、または充電消耗電力の効率の少なくとも１つに基づいて緩速充電及び急速充電間でユーザの充電方式を動的に切り替えてもよい。ここで、電気車動的充電システムは、ユーザの充電方式に対する再選択を受信してもよい。
【００６２】
ここで、充電方式の転換はユーザの要求に応じて行われてもよいが、充電開始前にユーザから予め受信したユーザの選択によって自動的に行われてもよい。また、ユーザの要求は、充電スタンドが提供するユーザインタフェース（ＵＩ）はもちろん、ユーザのモバイル端末やＰＣ端末を介して送受信されてもよい。
【００６３】
本発明に係る電気車動的充電システムは、限定的な資源を有する急速充電モジュールが効率的に使用されるための充電方式の動的な転換をサポートする。
【００６４】
以上で説明された装置は、ハードウェア構成要素、ソフトウェア構成要素、及び／またはハードウェア構成要素、及びソフトウェアの構成要素の組合で実現される。例えば、実施形態で説明された装置及び構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、または、命令（ｉｎｓｔｒｕｃｔｉｏｎ）を実行して応答できるいかなる装置のように、１つ以上の汎用コンピュータまたは特殊目的のコンピュータを用いて実現されてもよい。処理装置は、運用体制（ＯＳ）及び前記運用体制上で行われる１つ以上のソフトウェアアプリケーションを行ってもよい。また、処理装置は、ソフトウェアの実行に応答してデータをアクセス、格納、操作、処理及び生成してもよい。理解の便宜のために、処理装置は１つが用いられるものと説明される場合もあるが、当該の技術分野で通常の知識を有する者は、処理装置が複数の処理要素（ｐｒｏｃｅｓｓｉｎｇ  ｅｌｅｍｅｎｔ）及び／または複数類型の処理要素を含んでいることが分かる。例えば、処理装置は、複数のプロセッサまたは１つのプロセッサ及び１つのコントローラを含んでもよい。また、並列プロセッサ（ｐａｒａｌｌｅｌ  ｐｒｏｃｅｓｓｏｒ）のような、他の処理構成（ｐｒｏｃｅｓｓｉｎｇ  ｃｏｎｆｉｇｕｒａｔｉｏｎ）も可能である。
【００６５】
ソフトウェアは、コンピュータプログラム（ｃｏｍｐｕｔｅｒ  ｐｒｏｇｒａｍ）、コード（ｃｏｄｅ）、命令（ｉｎｓｔｒｕｃｔｉｏｎ）、または、このうちの１つ以上の組合を含んでもよく、希望の通りに動作するよう処理装置を構成したり独立的または結合的に処理装置を命令してもよい。ソフトウェア及び／またはデータは処理装置によって解釈されたり、処理装置に命令またはデータを提供するために、いずれの類型の機械、構成要素（ｃｏｍｐｏｎｅｎｔ）、物理的装置、仮想装置（ｖｉｒｔｕａｌ  ｅｑｕｉｐｍｅｎｔ）、コンピュータ格納媒体または装置、あるいは送信される信号波（ｓｉｇｎａｌ  ｗａｖｅ）に永久的または一時的に具体化できる。ソフトウェアは、ネットワークに接続されたコンピュータシステム上に分散し、分散された方法で格納または実行されてもよい。ソフトウェア及びデータは１つ以上のコンピュータで読み出し可能な記録媒体に格納されてもよい。
【００６６】
実施形態に係る方法は、多様なコンピュータ手段によって行うことができるプログラム命令の形態で実現されても良く、かかるプログラム命令は、コンピュータ読み出し可能媒体に記録されてもよい。前記コンピュータ読み出し可能媒体は、プログラム命令、データファイル、データ構造などを単独または組み合わせたものを含んでもよい。前記媒体に記録されるプログラム命令は、本発明のために特別に設計して構成されたものでもよく、コンピュータソフトウェア分野の技術を有する当業者にとって公知のものであり、使用可能なものであってもよい。
【００６７】
以上のように、本発明を限定された実施形態と図面によって説明したが、本発明は、上記の実施形態に限定されることなく、本発明が属する分野における通常の知識を有する者であれば、このような記載から多様な修正及び変形が可能である。
【００６８】
したがって、本発明の範囲は、説明された実施形態に限定されて定められるものではなく、特許請求の範囲及び特許請求の範囲と均等なものなどによって定められるものである。
【図１】
2014171380.tif 000003
【図２】
2014171380.tif 000004
【図３】
2014171380.tif 000005
【図４】
2014171380.tif 000006
【図５】
2014171380.tif 000007